(57)【要約】      （修正有）【課題】消費者が自分のウエストサイズに合わせたベルトの所定の長さの箇所に取り付けることによって、ズボン又はスカートの着用しときに生じ易い、ベルトの後中央部の変形を防止し得るベルト補強金具を提供する。【解決手段】ズボン又はスカートの着用者が腰を屈めたとき、上半身を前傾姿勢にしたとき、正座をしたときなどにおいて、ベルト２０の後部が下方に強く引きつけられて変形することを防止するためにあり、ベルト２０の幅に略合わせた高さを有する短尺形状の表板部２を有し、該表板部３の上端縁部に沿った箇所と下端縁部に沿った箇所とが互いに突き合う方向に折曲されて、折曲によって形成された対向板部３，４と表板部２との間に、ベルト２０の長さ方向の途中部に略密着した状態で嵌装させ得る間隔が形成されている。【選択図】図３
0003139325.tif 000002
【実用新案登録請求の範囲】
【請求項１】
ズボン又はスカートの着用者が腰を屈めたとき、上半身を前傾姿勢にしたとき、正座をしたときなどにおいて、ベルトの後部が下方に強く引きつけられて変形することを防止するベルト補強金具であって、
前記ベルトの幅に略合わせた高さを有する短尺形状の表板部を有し、該表板部の上端縁部に沿った箇所と下端縁部に沿った箇所とが互いに突き合う方向に折曲されて、該折曲によって形成された対向板部と前記表板部との間に、前記ベルトの長さ方向の途中部に略密着した状態で嵌装させ得る間隔が形成されていることを特徴とするベルト補強金具。
【請求項２】
前記表板部と前記対向板部とを互いに近接する方向に加圧変形させて、前記ベルトの長さ方向の途中部を挟着させる程度の柔軟性を有している請求項１に記載のベルト補強金具。
【請求項３】
前記表板部と前記対向板部とによって前記ベルトの長さ方向の途中部に挟着させる弾性を有している請求項１に記載のベルト補強金具。
【請求項４】
ズボン又はスカートの着用者が腰を屈めたとき、上半身を前傾姿勢にしたとき、正座をしたときなどにおいて、ベルトの後部が下方に強く引きつけられて変形することを防止するベルト補強金具であって、
前記ベルトの長さ方向の途中部に略密着して嵌装させ得る角筒形状を有していることを特徴とするベルト補強金具。
【考案の詳細な説明】
【技術分野】
【０００１】  本考案は、ズボン又はスカートの着用者が腰を屈めたとき、上半身を前傾姿勢にしたとき、正座をしたときなどにおいて、ベルトの後中央部が、ズボン及びスカートによって下方に強く引きつけられることによって、下方に反って変形するのを防止させるベルト補強金具に関する。
【背景技術】
【０００２】  殆どの種類のズボンと一部の種類のスカートは、腰周り上部の外側面の数箇所に、細幅のベルト挿通用生地片の上下の各端部が縫合されて、各生地片と腰周りの生地とによる環状のベルト挿通部が形成されている。そして多くの場合、ベルト挿通部の１つが腰周り部の後部中央に形成されている。【０００３】  ところで、ベルトを使用してズボンを着用した後、図８（ａ）に示すように、着用者が腰を屈める姿勢をとると、ズボン３０の腰後ろの生地３３が着用者の臀部に沿って下方に強く引きつけられる。このため、図８（ｂ）に示すように、腰周り部２１の後中央に形成されているベルト挿通部３２によって、ベルト１０の長さ方向の途中部１１ａが、下方に強く引きつけられる。３３はベルト挿通用生地片を示している。【０００４】  このようしてベルト２０の長さ方向の途中部２１ａが下方に引きつけられた状態が続くと、図９及び図１０に示すように、ベルト２０の長さ方向の途中部２１ａが下方に反った形状に変形して、ベルト２０の美観を損なわせていた。とくに、比較的柔軟な素材で形成されたベルト、及び、ジーンズパンツ用のベルトのように幅が広いベルトでは、この引きつけによって、前記途中部２１ａの上端部２１ｂに皺が発生したり、この上端部２１ｂが外方向に反るなどして、ベルト２０の美観をさらに損なわせていた。【０００５】  このため、このような不具合が生じない強化ベルトが特許文献１において開示されている。この強化ベルトは、ベルトの裏面に取り付けられた金属板によってベルトの長さ方向の途中部の補強が図られており、金属板の取り付けがリベット止めで行なわれている。
【特許文献１】実開昭６０−３７１７号公報
【考案の開示】
【考案が解決しようとする課題】
【０００６】  しかしながら、上記の補強ベルトでは、金属板がリベット止めによってベルトの固定されているため、金属板の取り付け位置の変更が不可能であり、この結果、着用者のウエストサイズに合わせてベルトの長さを調整すると、金属板が着用者の真後に在るベルト挿通部から外れて位置し、金属板によるベルト補強効果が得られないことがある。【０００７】  本考案が解決しようとする課題は、消費者が自分のウエストサイズに合わせたベルトの所定の長さの箇所に取り付けることによって、ズボン又はスカートの着用しときに生じ易い、ベルトの後中央部の変形を防止し得るベルト補強金具を提供することにある。
【課題を解決するための手段】
【０００８】  請求項１に係るベルト補強金具は、ズボン又はスカートの着用者が腰を屈めたとき、上半身を前傾姿勢にしたとき、正座をしたときなどにおいて、ベルトの後部が下方に強く引きつけられて変形することを防止するベルト補強金具であって、
前記ベルトの幅に略合わせた高さを有する短尺形状の表板部を有し、該表板部の上端縁部に沿った箇所と下端縁部に沿った箇所とが互いに突き合う方向に折曲されて、該折曲によって形成された対向板部と前記表板部との間に、前記ベルトの長さ方向の途中部に略密着した状態で嵌装させ得る間隔が形成されているところに特徴がある。【０００９】  このベルト補強金具は、ズボン及びスカートの着用者の腰周りの真後ろに位置するように、着用者のウエストサイズに合わせたベルト長さの箇所に取り付けて使用する。このようにすると、ベルト補強金具が着用者の腰周りの真後ろに在るベルト挿通部の内側に位置する。このため、ズボン又はスカートの着用者が腰を屈めたとき、上半身を前傾姿勢にしたとき、正座をしたときなどにおいて、ベルトの後中央部がズボン及びスカートによって下方に強く引きつけられても、下方に反って変形することがない。請求項１に係るベルト補強金具は、利用者がベルトに取り付けて使用し、その取り付けは、このベルト補強用金具の表板部がベルトの表面と同じ向きになるようにして、ベルトの先端部から嵌装する方法で行う。或いは、ベルトを幅方向に曲げた状態で嵌め入れ、その後、ベルトを平坦に戻す方法で行う。【００１０】  請求項２に係るベルト補強金具は、請求項１に係るベルト補強金具において、前記表板部と前記対向板部とを互いに近接する方向に加圧変形させて、前記ベルトの長さ方向の途中部を挟着させ得る程度の柔軟性を有している。【００１１】  このベルト補強用金具は、ベルト補強具を着用者のウエストサイズに合わせたベルト長さの箇所に取り付けた後、ベルト補強具の表板部と対向板部とを、工具を用いて挟みつけて、或いは軽く叩いてベルトに挟み付けて固定させるタイプのものである。【００１２】  請求項３に係るベルト補強金具は、請求項１に係るベルト補強金具において、前記表板部と前記対向板部とによって、前記ベルトの長さ方向の途中部に挟着させる弾性を有している。【００１３】  このベルト補強金具は、ベルト補強具を着用者のウエストサイズに合わせたベルト長さの箇所に取り付けると、ベルト補強具の表板部と対向板部とが弾力をもってベルトを挟み付けるタイプのものである。この弾力の強さは、ベルト補強具をベルトに取り付ける作業が容易に行われ、かつ、ベルト補強具の位置ずれが生じない程度の弾力があれば十分とされる。【００１４】  請求項４に係るベルト補強金具は、ズボン又はスカートの着用者が腰を屈めたとき、上半身を前傾姿勢にしたとき、正座をしたときなどにおいて、ベルトの後部が下方に強く引きつけられて変形することを防止するベルト補強金具であって、
前記ベルトの長さ方向の途中部に略密着して嵌装させ得る角筒形状を有している。【００１５】  このベルト補強金具は、ベルトを挿入させる程度の形状及び大きさの角孔が形成された角筒形状を有し、この角孔内にベルトを通して、着用者のウエストサイズに合わせたベルト長さの箇所に取り付けるようにする。
【考案の効果】
【００１６】  請求項１に係るベルト補強金具によれば、着用者のウエストサイズに合わせたベルト長さの箇所に略密着した状態で嵌装させる構成とした結果、ズボン又はスカートの着用者が腰を屈めたとき、上半身を前傾姿勢にしたとき、正座をしたときなどにおいて、ベルトの後中央部がズボン及びスカートによって下方に強く引きつけられても、下方に反って変形することが無いように、ベルトを補強させることができるようになった。このため、ベルトを長期間使用しても、見苦しい変形や皺などが生じない見栄えの良い形状が維持されるようになった。【００１７】  請求項２に係るベルト補強金具によれば、請求項１に係るベルト補強金具において、更に、前記表板部と前記対向部とを互いに近接する方向に加圧変形させて、前記ベルトの長さ方向の途中部を挟着させ得る程度の柔軟性を有するものとした結果、ベルト補強具の位置ずれを防止させることができ、かつ、ベルトと一体となったアクセサリーを兼ねるものにすることができるようになった。【００１８】  請求項３に係るベルト補強金具によれば、請求項１に係るベルト補強金具において、更に、前記表板部と前記対向面とによって、前記ベルトの長さ方向の途中部に挟着させ得る弾性を有するものとした結果、取り付け位置の調整が可能であり、かつ、ベルト補強具の位置ずれを防止させることができるようになった。【００１９】  請求項４に係るベルト補強金具によれば、ベルトを挿入させる程度の形状及び大きさの角孔が形成された角筒形状を有し、この角孔内にベルトを通して、着用者のウエストサイズに合わせたベルト長さの箇所に取り付けるようにするものとした結果、この構成を有するベルト補強部でも、請求項１に対応した上述した効果と同様の効果が得られるようになった。
【考案を実施するための最良の形態】
【００２０】  本考案を実施するための最良の形態は、請求項１に記載のベルト補強金具である。
【実施例】
【００２１】  図１（ａ）は第１実施形態によるベルト補強金具を斜め正面方向から見た斜視図、（ｂ）は同じく斜め後方から見た斜視図、（ｃ）図は同じく左側面図である。【００２２】  図１（ａ）〜（ｃ）に示す第１実施形態のベルト補強金具１Ａは、略ベルトの幅に合わせた高さ（Ｈ）を有する短尺形状の表板部２の上端縁部に沿った箇所と下端縁部に沿った箇所とが互いに突き合う方向に折曲されて，表板部２に対向する上下の対向板部３，４が形成されたもので構成されており、表板部３と各対向板部２，３との間に形成されている間隔Ｓは、ベルトの肉厚程度とされている。【００２３】  この実施形態のベルト補強具１Ａの横方向の長さＬは、４０〜７０ｍｍであれば十分とされる。この実施形態のベルト補強金具１Ａは両側縁部が上方に向かうに従って広がる方向に傾斜した形状を有している。図１（ａ）に示す表板部３の表面は無模様であるが、印刷又は凹凸或いは打ち抜きなどによる模様を付しもよい。【００２４】  図２は第１実施形態のベルト補強用金具をベルトに取り付けた状態を示した斜視図、図３（ａ）は（ａ）は第１実施形態のベルト補強用金具をベルトに取り付けた状態を示した部分正面図、（ｂ）は同じく背面図、（ｃ）は（ａ）におけるＡ−Ａ断面図、図４（ａ）は第１実施形態のベルト補強金具の使用例を示した図、（ｂ）は（ａ）に示す破線円で示した部分の拡大図である。【００２５】  図２及び図３（ａ）〜（ｃ）に示すように、この第１実施形態のベルト補強金具１Ａは、表板部２の表面の向きとベルト２０の表面の向きとを揃えるようにして、ベルト２０の先端部から嵌め込んで、ベルト２０の長さ方向の途中部に位置させる。この途中部は、図４（ａ）に示すように、ズボン３０の着用者の腰周りの真後ろになるベルト長さの箇所である。【００２６】  このようにすると、図４（ａ）に示すように、ズボン３０の着用者が腰を屈めたときに、着用者の臀部に沿ってズボン３０の後上部が下方に引きつけられて、ベルト２０が着用者の真後ろに位置するベルト挿通孔３２内によって下方に強く引きつけられるが、図４の（ａ）及び（ｂ）に示すように、第１実施形態ベルト補強具１がベルト挿通孔３２内からその両側方向に位置させるため、ベルト２０の後端部が下方に反って変形したり、皺になったり、この後端部の上端部分が外方向に反ったりすることがない。【００２７】  図５（ａ）は本考案の第２実施形態のベルト補強用金具を斜め正面方向から見た斜視図、（ｂ）は同じく斜め後方から見た斜視図、（ｃ）図は同じく左側面図、（ｄ）は同じく対向板部を表板部から遠ざかる方向に広げた状態で示した左側面図である。【００２８】  図５（ａ）〜（ｃ）に示す第２実施形態のベルト補強金具１Ｂは、ベルトの幅に略合わせた高さ（Ｈ）を有する短尺形状の表板部２の上端縁部に沿った箇所と下端縁部に沿った箇所とが互いに突き合う方向に折曲されて，表板部２に対向する上下の対向板部３，４が形成され、表板部３と各対向板部２，３との間に形成されている間隔Ｓ１がベルトの肉厚以下とされている。そして、図５（ｄ）に示すように、表板部２と各対向板部３，４を表板部２から遠ざかる方向に外力を加えると、各対向板部３，４が、図５（ｃ）に示す元の��置、即ち、表板部２に近接する方向に復帰する弾性力を保有している。【００２９】  この弾性力は、第２実施形態のベルト補強金具１Ｂを、各対向板部２，３を外方向に広げた状態で、ベルトの長さ方向の所望の箇所まで嵌装させることが容易にできる程度の弱い弾性力とされている。第２実施形態のベルト補強金具１Ｂは、ベルトの所定の箇所に取り付けた後、不用意に位置ずれしない利点がある。【００３０】  図６（ａ）は本考案の第３実施形態のベルト補強用金具を斜め正面方向から見た斜視図、（ｂ）は同じく斜め後方から見た斜視図、（ｃ）図は同じく左側面図、（ｄ）は同じくベルトを挟んだ状態で、対向板部と表板部２と加圧させた状態を示した一部に断面部分を含む左側面図である。【００３１】  図６（ａ）〜（ｃ）に示す第３実施形態のベルト補強金具１Ｃは、ベルトの幅に略合わせた高さ（Ｈ）を有する短尺形状の表板部２の上端縁部に沿った箇所と下端縁部に沿った箇所とが互いに突き合う方向に折曲されて，表板部２に対向する上下の対向板部３，４が形成され、表板部３と各対向板部２，３との間に形成されている間隔Ｓ３がベルトの肉厚より若干広く形成されている。そして、図６（ｄ）に示すように、表板部２と各対向板部３，４との間にベルト２０を挟んだ状態で、表板部２と各対向板部３，４とによって更に強くベルト２０を挟み付ける外力を加えて、ベルト補強具１Ｃをベルト２０の所定の箇所に固定されるようにすることができるように構成されている。【００３２】  図７（ａ）は本考案の第４実施形態のベルト補強金具を斜め正面方向から見た斜視図、（ｂ）は同じく斜め後方から見た斜視図、（ｃ）図は同じく左側面図である。【００３３】  図７（ａ）〜（ｃ）に示す第４実施形態のベルト補強金具１Ｄは、ベルトの幅に略合わせた高さ（Ｈ）を有する短尺形状の表板部２と裏板部５とを有する、ベルトの長さ方向の途中部に略密着して嵌装させ得る角筒形状を有している。６はこのベルト補強金具１Ｄに形成されている角孔を示しており、この角孔６内にベルトを挿通させる。
【図面の簡単な説明】
【００３４】
【図１】  （ａ）は第１実施形態によるベルト補強金具を斜め正面方向から見た斜視図、（ｂ）は同じく斜め後方から見た斜視図、（ｃ）図は同じく左側面図である。
【図２】  第１実施形態のベルト補強用金具をベルトに取り付けた状態を示した斜視図である。
【図３】  （ａ）は第１実施形態のベルト補強用金具をベルトに取り付けた状態を示した部分正面図、（ｂ）は同じく背面図、（ｃ）は（ａ）におけるＡ−Ａ断面図である。
【図４】  （ａ）は第１実施形態のベルト補強金具の使用例を示した図、（ｂ）は（ａ）に示す破線円で示した部分の拡大図である。
【図５】  （ａ）は本考案の第２実施形態のベルト補強用金具を斜め正面方向から見た斜視図、（ｂ）は同じく斜め後方から見た斜視図、（ｃ）図は同じく左側面図、（ｄ）は同じく対向板部を表板部から遠ざかる方向に広げた状態で示した左側面図である。
【図６】  （ａ）は本考案の第３実施形態のベルト補強用金具を斜め正面方向から見た斜視図、（ｂ）は同じく斜め後方から見た斜視図、（ｃ）図は同じく左側面図、（ｄ）は同じくベルトを挟んだ状態で、対向板部と表板部とを加圧させた状態を示した一部に断面部分を含む左側面図である。
【図７】  図７（ａ）は本考案の第４実施形態のベルト補強金具を斜め正面方向から見た斜視図、（ｂ）は同じく斜め後方から見た斜視図、（ｃ）図は同じく左側面図である。
【図８】  （ａ）はベルト補強金具を使用しないことによってベルトを変形させる事例を示した図、（ｂ）は（ａ）に示す破線円で示した部分の拡大図である。
【図９】  ベルト補強金具を使用しないことによって変形したベルトを示した視図である。
【図１０】  ベルト補強具を使用しないことによって変形したベルトを示した部分正面図である。
【符号の説明】
【００３５】    １Ａ    第１実施形態のベルト補強金具
１Ｂ    第２実施形態のベルト補強金具
１Ｃ    第３実施形態のベルト補強金具
１Ｄ    第４実施形態のベルト補強金具
２      表板部
３      対向板部
４      対向板部
５      裏板部
６      角孔
２０      ベルト
２１ａ    長さ方向の途中部
３０      ズボン
３２      ベルト挿通孔
【図１】
0003139325.tif 000003
【図２】
0003139325.tif 000004
【図３】
0003139325.tif 000005
【図４】
0003139325.tif 000006
【図５】
0003139325.tif 000007
【図６】
0003139325.tif 000008
【図７】
0003139325.tif 000009
【図８】
0003139325.tif 000010
【図９】
0003139325.tif 000011
【図１０】
0003139325.tif 000012